(57)【要約】【課題】  部品点数を削減することにより、組立工程を簡素にし、また、コストを安価にし、更に、外形が小さいソケットを提供する。【解決手段】  ソケット１には、前後両面の下部に複数本の略Ｌ字形状の接触ばね１ａが形成され、左右両側面に一対の係合ばね１ｂが形成され、右側面下部に長方形状の切り欠き部１ｃが形成されている。ＦＰＣ３の前後両側には、複数個のパッド３ａが設けられている。カメラモジュール２には、下面の前後両側に複数個の端子（図示せず）が設けられ、左右両側面の両上隅部から下方に向かって、切り欠き部２ｂが形成されている。ＦＰＣをソケットの収容部１ｄに収容した後、カメラモジュールを収容部に収容する。すると、各接触ばねは、各パッドを各端子に向かって押圧するので、カメラモジュールは、ＦＰＣと接続する。【選択図】    図５
2008016419.tif 000002
【特許請求の範囲】
【請求項１】
２つの接続対象物間を接続するソケットにおいて、
前記ソケットは、一方の接続対象物及び他方の接続対象物を収容する収容部と、前記一方の接続対象物の接続部を前記他方の接続対象物の接続部に向けて押圧するばね部と、前記他方の接続対象物の被係合部と係合する係合部とを一体で有し、
前記一方の接続対象物及び前記他方の接続対象物が前記収容部に収容され、前記被係合部と前記係合部とが係合することにより、前記２つの接続対象物間が接続されることを特徴とするソケット。
【請求項２】
前記ソケットは金属製で、前記ばね部と前記係合部とが一体形成されていることを特徴とする請求項１記載のソケット。
【請求項３】
前記ばね部は前記ソケットに複数本形成され、各ばね部は前記一方の接続対象物の複数個の接続部及び前記他方の接続対象物の複数個の接続部にそれぞれ対応することを特徴とする請求項１記載のソケット。
【発明の詳細な説明】
【技術分野】
【０００１】
本発明は、２つの接続対象物間を接続するソケットに関し、具体的に述べると、カメラモジュールや半導体素子等をＦＰＣ等に接続するためのソケットに関する。
【背景技術】
【０００２】
従来の電子部品取付用ソケットについて説明する(例えば、特許文献１参照。)。
【０００３】
図８は、カメラモジュール１４が電子部品取付用ソケット２０によってプリント配線基板１６に取り付けられた使用状態を示す断面図である。
【０００４】
電子部品取付用ソケット２０は、カメラモジュール１４の一部又は全部が収容される収容部２１を有するソケット本体２２と、収容部２１内に突出する複数のコンタクト２３とを備える。カメラモジュール１４は、各コンタクト２３を介してプリント配線基板１６に接続される。
【０００５】
ソケット本体２２は、箱状の外ケース２４と、外ケース２４内に着脱可能に収容され、各コンタクト２３を保持するインシュレータ２５と、外ケース２４の上部にはまる取付用蓋体２６とを備える。
【０００６】
図９は、取付用蓋体２６、カメラモジュール１４、各コンタクト２３を保持するインシュレータ２５、プリント配線基板１６及び外ケース２４の分解斜視図である。
【０００７】
【特許文献１】特開２００５−２６８０１９号公報（第４頁第７行〜第２０行、図１，２）
【発明の開示】
【発明が解決しようとする課題】
【０００８】
前記従来のソケットでは、各コンタクト２３と各コンタクト２３を保持するインシュレータ２５と外ケース２４と取付用蓋体２６との４部品を必要とするから、組立工程が煩雑であり、また、コストが高価である。更に、インシュレータ２５を用いる構造なので、実装高さが大きくならざるを得ない。
【０００９】
そこで、本発明は、前記従来のソケットの欠点を改良し、部品点数を削減することにより、組立工程を簡素にし、また、コストを安価にし、更に、低背化が図れるソケットを提供しようとするものである。
【課題を解決するための手段】
【００１０】
本発明は、前記課題を解決するため、次の手段を採用する。
【００１１】
１．２つの接続対象物間を接続するソケットにおいて、前記ソケット１は、一方の接続対象物３及び他方の接続対象物２を収容する収容部１ｄと、前記一方の接続対象物の接続部３ａを前記他方の接続対象物の接続部２ａに向けて押圧するばね部１ａと、前記他方の接続対象物の被係合部２ｂと係合する係合部１ｂとを一体で有し、前記一方の接続対象物及び前記他方の接続対象物が前記収容部に収容され、前記被係合部と前記係合部とが係合することにより、前記２つの接続対象物間が接続されるソケット。
【００１２】
２．前記ソケットは金属製で、前記ばね部と前記係合部とが一体形成されている前記１記載のソケット。
【００１３】
３．前記ばね部は前記ソケットに複数本形成され、各ばね部は前記一方の接続対象物の複数個の接続部及び前記他方の接続対象物の複数個の接続部にそれぞれ対応する前記１記載のソケット。
【発明の効果】
【００１４】
明細書の説明から明らかなように、本発明は、次の効果を奏する。
【００１５】
１．ソケットは、単一部品から構成されるため、組立工程が簡易であり、また、コストが安価になる。
【００１６】
２．本発明のソケットは、従来のソケットとは異なり、インシュレータとコンタクトを有しないので、ソケットの実装高さを小さく構成することができる。
【００１７】
３．ソケットは、一方の接続対象物及び他方の接続対象物を収容する収容部と、一方の接続対象物を他方の接続対象物に向けて押圧するばね部と、他方の接続対象物の被係合部と係合する係合部とを有するのみであるので、構造が簡素であり、また、製作が容易である。
【発明を実施するための最良の形態】
【００１８】
本発明の３つの実施例のカメラモジュールをＦＰＣに接続するためのソケットについて説明する。
【実施例１】
【００１９】
本発明の実施例１について図１〜図７を参照して説明する。
【００２０】
図１（Ａ）〜（Ｄ）は、ソケット１の４面図であり、金属製のソケット１は、プレス加工によって板材から４角枠形状に形成される（図４参照）。ソケット１の前後両面の下部分に、それぞれ１５本の接触ばね１ａが所定のピッチで切り込みを入れ曲げ加工によって形成されている。各接触ばね１ａは、略Ｌ字形状に構成され、各接触ばね１ａの折曲された先端部は、ソケット１の下部に位置し、カメラモジュール２の端子２ａに対応する。また、ソケット１の左右両側面に、一対の係合ばね１ｂが切り込みを入れ曲げ加工によって形成されている。更に、ソケット１の右側面の下部に、長方形の切り欠き部１ｃが形成されている。
【００２１】
図２（Ａ）〜（Ｄ）は、ソケット１に適合する電子部品の一例であるカメラモジュール２の４面図である。カメラモジュール２は、筐体部分が合成樹脂から製造され、下面の前後両側に、それぞれ１５個の端子２ａが所定のピッチで設けられている。また、カメラモジュール２の左右両側面の両上隅部から下方に向かって、長方形の切り欠き部２ｂが形成されている。
【００２２】
図３は、カメラモジュール２に適合するＦＰＣ３の正面図である。ＦＰＣ３の前後両側には、それぞれ１５個のパッド３ａが設けられている。各パッド３ａは、  カメラモジュール２の端子２ａに対応する。また、ＦＰＣ３の右側中央から幅狭部３ｂが形成されている。
【００２３】
図４は、ソケット１、カメラモジュール２及びＦＰＣ３の全体の斜視図である。
【００２４】
図５は、ソケット１、カメラモジュール２及びＦＰＣ３を分解した状態の斜視図である。
【００２５】
ソケット１とカメラモジュール２とＦＰＣ３の嵌合方法について図６と図７を参照して説明する。
【００２６】
まず、ＦＰＣ３の各パッド３ａが上方を向くようにして、ソケット１の下部側からＦＰＣ３を斜めに挿入し、図６に示されるようにＦＰＣ３が接触ばね１ａの上に位置するように、ＦＰＣ３をソケット１の収容部１ｄに収容する。この際、ＦＰＣ３の幅狭部３ｂをソケット１の切り欠き部１ｃに対応させて挿入する。
【００２７】
次に、カメラモジュール２を図６の矢印方向へソケット１の収容部１ｄに収容すると、図７に示される嵌合状態に至る。このとき、ソケット１の各接触ばね１ａは、弾性変位し、ＦＰＣ３の各パッド３ａをカメラモジュール２の各端子２ａに向けて押圧する。したがって、カメラモジュール２の各端子２ａは、ＦＰＣ３の各パッド３ａにそれぞれ接続する。また、ソケット１の各係合ばね１ｂは、弾性変位してカメラモジュール２の各切り欠き部２ｂにそれぞれ係合するので、カメラモジュール２は、ソケット１から離脱することを防止される。
【００２８】
本実施例１では、一方の接続対象物としてＦＰＣ（フレキシブルプリント配線基板）を使用するが、通常のプリント配線基板等を使用することができる。
【００２９】
また、他方の接続対象物としてカメラモジュールを使用するが、カメラモジュールやＩＣユニット等の高周波電子部品のみならず、半導体素子やその他の電子部品等を使用することができる。
【実施例２】
【００３０】
本発明の実施例２について図８を参照して説明する。実施例２についての説明は、実施例１と同様な点の説明を省略し、相違する点の説明を行う。
【００３１】
樹脂製のソケット１の前後両面には、出っ張り１ｅが形成されている。金属製のシェル４の前後両面には、穴４ａが開けられている。
【００３２】
シェル４が、ソケット１、カメラモジュール２及びＦＰＣ３を被覆するとき、
シェル４の各穴４ａは、ソケット１の各出っ張り１ｅとそれぞれ係合する。
【実施例３】
【００３３】
本発明の実施例３について図９を参照して説明する。実施例３についての説明は、実施例２と同様な点の説明を省略し、相違する点の説明を行う。
【００３４】
ＦＰＣ３をソケット１に容易に挿入できることを考慮して、樹脂製のソケット１の右側面の上部から下方に向かって、切り欠き部１ｆが形成されている。
【００３５】
したがって、ＦＰＣ３をソケット１の収容部１ｄに上側から収容する際、ＦＰＣ３の幅狭部３ｂをソケット１の切り欠き部１ｆに対応させて収容する。
【図面の簡単な説明】
【００３６】
【図１】本発明の実施例１のソケットの４面図であり、（Ａ）は平面図、（Ｂ）は正面図、（Ｃ）は下面図、（Ｄ）は右側面図を、それぞれ示す。
【図２】同ソケットが接続する２つの接続対象物の一方のカメラモジュールの４面図であり、（Ａ）は平面図、（Ｂ）は正面図、（Ｃ）は下面図、（Ｄ）は右側面図を、それぞれ示す。
【図３】同ソケットが接続する２つの接続対象物の他方のＦＰＣの正面図である。
【図４】同ソケット、同カメラモジュール及び同ＦＰＣの全体の斜視図である。
【図５】同ソケット、同カメラモジュール及び同ＦＰＣを分解した状態の斜視図である。
【図６】同ソケットと同カメラモジュールと同ＦＰＣが嵌合する途中の状態の斜視図である。
【図７】同ソケットと同カメラモジュールと同ＦＰＣが嵌合した状態の斜視図である。
【図８】本発明の実施例２のソケット、カメラモジュール、ＦＰＣ及びシェルを分解した状態の斜視図である。
【図９】本発明の実施例３のソケット、カメラモジュール、ＦＰＣ及びシェルを分解した状態の斜視図である。
【図１０】従来の電子部品取付用ソケットの嵌合状態の断面図である。
【図１１】同電子部品取付用ソケットの分解斜視図である。
【符号の説明】
【００３７】
１  ソケット
１ａ  接触ばね
１ｂ  係合ばね
１ｃ  切り欠き部
１ｄ  収容部
１ｅ  出っ張り
１ｆ  切り欠き部
２  カメラモジュール
２ａ  端子
２ｂ  切り欠き部
３  ＦＰＣ
３ａ  パッド
３ｂ  幅狭部
４  シェル
４ａ  穴
【図１】
2008016419.tif 000003
【図２】
2008016419.tif 000004
【図３】
2008016419.tif 000005
【図４】
2008016419.tif 000006
【図５】
2008016419.tif 000007
【図６】
2008016419.tif 000008
【図７】
2008016419.tif 000009
【図８】
2008016419.tif 000010
【図９】
2008016419.tif 000011
【図１０】
2008016419.tif 000012
【図１１】
2008016419.tif 000013